(57)【要約】【課題】  防水扉の起倒動作に伴って防水扉側方の隙間を塞ぐようにして、防水扉側方の隙間からの浸水の防止を手間なく行える防水扉装置を提供する。【解決手段】  それぞれ倒伏状態と起立状態に起倒可能である各当初起立防水扉２及び各第１隣接防水扉３と、各第１隣接防水扉３の側端部において、当該側端部と一体に設けられたシール部材３７とを備え、右端からこれを含めて２枚目ごと（右端から１，３枚目）の当初起立状態となる各当初起立防水扉２の側端部に対し、各当初起立防水扉２に隣接する各第１隣接防水扉３の側端部が起倒方向において接近するよう、各第１隣接防水扉３を起立可能とし、かつ、シール部材３７を、各当初起立防水扉２と各第１隣接防水扉３とが倒伏状態であると、これらの側端部間で圧接せず、起立状態の各当初起立防水扉２に対して、各第１隣接防水扉３が起立すると、これらの側端部間で圧接するようにした。【選択図】  図５
2008163639.tif 000002
【特許請求の範囲】
【請求項１】
それぞれ倒伏状態と起立状態に起倒可能である複数の防水扉と、
防水扉の隣接する側端部の少なくとも一方において、当該側端部と一体に設けられたシール部材とを備え、
所定枚数目または所定枚数目ごとの当初起立状態となる当初起立防水扉の側端部に対し、当初起立防水扉に隣接する第１隣接防水扉の側端部が起倒方向において接近するよう、第１隣接防水扉を起立可能とし、
かつ、シール部材を、
当初起立防水扉と、第１隣接防水扉とが倒伏状態であると、これらの側端部間で圧接せず、
起立状態の当初起立防水扉に対して、第１隣接防水扉が起立すると、これらの側端部間で圧接する
ようにした
ことを特徴とする防水扉装置。
【請求項２】
第ｎ隣接防水扉の側端部に対し（ｎは１〜所定自然数）、第ｎ隣接防水扉に隣接する第ｎ＋１隣接防水扉の側端部が起倒方向において接近するよう、第ｎ＋１隣接防水扉を更に起立可能とし、
かつ、シール部材を、
第ｎ隣接防水扉と、第ｎ＋１隣接防水扉とが倒伏状態であると、これらの側端部間で圧接せず、
起立状態の第ｎ隣接防水扉に対して、第ｎ＋１隣接防水扉が起立すると、これらの側端部間で圧接する
ようにした
ことを特徴とする請求項１に記載の防水扉装置。
【請求項３】
シール部材を、起倒方向に交わる面が露出するように配置し、
シール部材に隣接する防水扉の側端部に、当該露出面と対向する面を有する段部を設け、
シール部材を、段部の当該対向面に圧接するようにした
ことを特徴とする請求項１または請求項２に記載の防水扉装置。
【請求項４】
当初起立防水扉または第ｎ隣接防水扉と、第１隣接防水扉または第ｎ＋１隣接防水扉とが倒伏状態であると、これらの扉面が面一となるようにするとともに、
当初起立防水扉または第ｎ隣接防水扉と、第１隣接防水扉または第ｎ＋１隣接防水扉とが起立状態であると、これらの扉面が起倒方向へずれるようにした
ことを特徴とする請求項１ないしは請求項３のいずれかに記載の防水扉装置。
【請求項５】
当初起立防水扉または第ｎ隣接防水扉と、第１隣接防水扉または第ｎ＋１隣接防水扉とが倒伏状態であると、これらの扉面が起倒方向へずれるようにするとともに、
当初起立防水扉または第ｎ隣接防水扉と、第１隣接防水扉または第ｎ＋１隣接防水扉とが起立状態であると、これらの扉面が面一となるようにした
ことを特徴とする請求項１ないしは請求項３のいずれかに記載の防水扉装置。
【請求項６】
各防水扉を、軸支部を有する腕部の周りで回転して起倒可能とし、
当初起立防水扉または第ｎ隣接防水扉の軸支部と、第１隣接防水扉または第ｎ＋１隣接防水扉の軸支部とを互いに偏心させた
ことを特徴とする請求項１ないしは請求項５のいずれかに記載の防水扉装置。
【請求項７】
各防水扉を、リンク機構によって前後移動しながら起倒可能とし、
当初起立防水扉または第ｎ隣接防水扉のリンク機構と、第１隣接防水扉または第ｎ＋１隣接防水扉のリンク機構とを、起立時の防水扉の前方移動量がずれるように設けた
ことを特徴とする請求項１ないしは請求項５のいずれかに記載の防水扉装置。
【請求項８】
起立状態における各防水扉の下部に圧接可能な止水部材を設け、
止水部材を、起立状態における各防水扉のシール部材と連続するように配置した
ことを特徴とする請求項１ないしは請求項７のいずれかに記載の防水扉装置。
【発明の詳細な説明】
【技術分野】
【０００１】
本発明は、浸水予想路面からの浸水を防止する防水扉装置に関する。
【背景技術】
【０００２】
従来の防水扉装置として、下記特許文献１に記載のものが知られている。当該防水扉装置では、複数の防水扉が配されており、起立した各防水扉間の隙間に対してパッキンを手動で押圧するシール機構が設けられている。
【０００３】
【特許文献１】特開２００５−１２０５９４号公報
【発明の開示】
【発明が解決しようとする課題】
【０００４】
上記従来の防水扉装置では、防水扉間の隙間からの浸水を防ぐことができるものの、防水扉を全て起立させた後で、各隙間についてパッキンを手動で押圧しなければならないし、倒伏前に手動で押圧を解除しなければならないため、煩わしい。
【０００５】
また、防水扉間の隙間そのものをなくすという観点からは、単一の大きな防水扉を用いることを考え得るが、このような防水扉にあっては、防水扉を起倒するための大がかりな起倒装置が必要になってしまうし、様々な設計止水幅に柔軟に対応するのに多大なコストを要してしまう。
【０００６】
そこで、請求項１、請求項２に記載の発明は、防水扉の起倒動作に伴って防水扉側方の隙間を塞ぐようにして、防水扉側方の隙間からの浸水の防止を手間なく行える防水扉装置を提供することを目的としたものである。
【課題を解決するための手段】
【０００７】
上記目的を達成するために、請求項１に記載の発明は、それぞれ倒伏状態と起立状態に起倒可能である複数の防水扉と、防水扉の隣接する側端部の少なくとも一方において、当該側端部と一体に設けられたシール部材とを備え、所定枚数目または所定枚数目ごとの当初起立状態となる当初起立防水扉の側端部に対し、当初起立防水扉に隣接する第１隣接防水扉の側端部が起倒方向において接近するよう、第１隣接防水扉を起立可能とし、かつ、シール部材を、当初起立防水扉と、第１隣接防水扉とが倒伏状態であると、これらの側端部間で圧接せず、起立状態の当初起立防水扉に対して、第１隣接防水扉が起立すると、これらの側端部間で圧接するようにしたことを特徴とするものである。
【０００８】
上記目的を達成するために、請求項２に記載の発明は、上記発明において、第ｎ隣接防水扉の側端部に対し（ｎは１〜所定自然数）、第ｎ隣接防水扉に隣接する第ｎ＋１隣接防水扉の側端部が起倒方向において接近するよう、第ｎ＋１隣接防水扉を更に起立可能とし、かつ、シール部材を、第ｎ隣接防水扉と、第ｎ＋１隣接防水扉とが倒伏状態であると、これらの側端部間で圧接せず、起立状態の第ｎ隣接防水扉に対して、第ｎ＋１隣接防水扉が起立すると、これらの側端部間で圧接するようにしたことを特徴とするものである。
【０００９】
請求項３に記載の発明は、上記目的に加えて、より一層止水性能を高める目的を達成するため、上記発明において、シール部材を、起倒方向に交わる面が露出するように配置し、シール部材に隣接する防水扉の側端部に、当該露出面と対向する面を有する段部を設け、シール部材を、段部の当該対向面に圧接するようにしたことを特徴とするものである。
【００１０】
請求項４に記載の発明は、上記目的に加えて、倒伏状態においてフラットな扉面を提供する目的を達成するため、上記発明において、当初起立防水扉または第ｎ隣接防水扉と、第１隣接防水扉または第ｎ＋１隣接防水扉とが倒伏状態であると、これらの扉面が面一となるようにするとともに、当初起立防水扉または第ｎ隣接防水扉と、第１隣接防水扉または第ｎ＋１隣接防水扉とが起立状態であると、これらの扉面が起倒方向へずれるようにしたことを特徴とするものである。
【００１１】
請求項５に記載の発明は、上記目的に加えて、起立状態においてフラットな扉面を提供する目的を達成するため、上記発明において、当初起立防水扉または第ｎ隣接防水扉と、第１隣接防水扉または第ｎ＋１隣接防水扉とが倒伏状態であると、これらの扉面が起倒方向へずれるようにするとともに、当初起立防水扉または第ｎ隣接防水扉と、第１隣接防水扉または第ｎ＋１隣接防水扉とが起立状態であると、これらの扉面が面一となるようにしたことを特徴とするものである。
【００１２】
請求項６に記載の発明は、上記目的に加えて、よりシンプルで防水性が高く耐久性の良好な防水扉装置を提供する目的を達成するため、上記発明において、各防水扉を、軸支部を有する腕部の周りで回転して起倒可能とし、当初起立防水扉または第ｎ隣接防水扉の軸支部と、第１隣接防水扉または第ｎ＋１隣接防水扉の軸支部とを互いに偏心させたことを特徴とするものである。
【００１３】
請求項７に記載の発明は、上記目的に加えて、閉鎖蓋を不要とする目的を達成するため、上記発明において、各防水扉を、リンク機構によって前後移動しながら起倒可能とし、  当初起立防水扉または第ｎ隣接防水扉のリンク機構と、第１隣接防水扉または第ｎ＋１隣接防水扉のリンク機構とを、起立時の防水扉の前方移動量がずれるように設けたことを特徴とするものである。
【００１４】
請求項８に記載の発明は、上記目的に加えて、より一層防水性能を向上する目的を達成するため、上記発明において、起立状態における各防水扉の下部に圧接可能な止水部材を設け、止水部材を、起立状態における各防水扉のシール部材と連続するように配置したことを特徴とするものである。
【発明の効果】
【００１５】
本発明によれば、所定枚数目または所定枚数目ごとの当初起立状態となる当初起立防水扉の側端部に対し、当初起立防水扉に隣接する第１隣接防水扉の側端部が起倒方向において接近するよう、第１隣接防水扉を起立可能とし、更には適宜第ｎ隣接防水扉の側端部に対し、第ｎ隣接防水扉に隣接する第ｎ＋１隣接防水扉の側端部が起倒方向において接近するよう、第ｎ＋１隣接防水扉を起立可能とすることを繰り返し、かつ、シール部材を、当初起立防水扉（第ｎ隣接防水扉）と、第１隣接防水扉（第ｎ＋１隣接防水扉）とが倒伏状態であると圧接せず、起立状態の当初起立防水扉（第ｎ隣接防水扉）に対して、第１隣接防水扉（第ｎ隣接防水扉）が起立すると圧接するようにしたので、防水扉の起倒動作に伴って防水扉側方の隙間を塞ぐようにして、防水扉側方の隙間からの浸水の防止を手間なく行える防水扉装置を、起倒方向における接近のための機構についてシンプルにした状態（接近のためのずれや部材の長短等の種類数を少なくした状態）で提供することができる、という効果を奏する。
【発明を実施するための最良の形態】
【００１６】
以下、本発明の実施形態の例（第１〜第４形態及び変更例）について、適宜図面に基づいて説明する。
【００１７】
［第１形態］
図１は第１形態に係る防水扉装置１において、各防水扉が倒伏位置にある状態（倒伏状態）での平面図であり、図２は図１のＫ−Ｋ線断面図であり、図３は図１のＬ−Ｌ線断面図である。
【００１８】
防水扉装置１は、直線状に並べられた複数の（ここでは４枚の）防水扉を有し、具体的には右端から１番目と３番目（所定枚数目としての２枚目ごと）における当初起立防水扉２，２と、右端から２番目と４番目における第１隣接防水扉３，３とを備える。各当初起立防水扉２と各第１隣接防水扉３は、収納体５内に設置されている。収納体５は、浸水の可能性がある浸水予想路の路面に設置され、ここでは、浸水が予想される、建物（駐車場等でも良い）の出入口の床面に埋設されている。
【００１９】
なお、防水扉装置１において、前後は防水側即ち図１における右壁Ｗ１及び左壁Ｗ２側の建物側を前とする。また左右は建物側に向かって見たものとする。更に、図においては、各当初起立防水扉２と各第１隣接防水扉３の左右長さを短いものとしているが、一般に数倍の長さのものが使用されることが多く、それぞれの左右長さは任意に変更可能である。また、防水扉の枚数、各防水扉の高さ（止水高さ）も任意に変更可能であるし、複数の防水扉は直線状ではなくＬ字状やコ字状等の他形状に配置可能である。
【００２０】
収納体５の上部開口は、倒伏状態の各当初起立防水扉２及び各第１隣接防水扉３によって閉鎖される。即ち、各当初起立防水扉２、各第１隣接防水扉３の倒伏位置は、収納体５の上部開口に沿って当該開口を閉鎖する位置であり、収納体５の上部開口が水平であれば、防水扉２〜４が水平となる位置である。一方、収納体５の内前面には、左右のほぼ全体にわたって止水部材としてのシール材８が取り付けてあり、起立位置における当初起立防水扉２，２、第１隣接防水扉３，３の下部は、当該シール材８に当接する。なお、各当初起立防水扉２、各第１隣接防水扉３の起立位置は、防水の際に固定される位置であり、倒伏位置から起立した任意の位置とすることができるが、一般には止水高さをなるべく確保するために鉛直となる位置であり、ここでもそうなっている。
【００２１】
また、収納体５の前部右端には、右端の当初起立防水扉２の端辺が起立状態において（起立時に）当接するシール材１０付きの扉枠１２が立設されている。シール材１０ないし扉枠１２は、防水扉２の高さと同様の高さを有しており、扉枠１２においてシール材１０の後面が最後方とされている。扉枠１２は、右壁Ｗ１から突出するように固定されている。一方、収納体５の前部右端には、同様に左壁Ｗ２から突出するシール材１４付きの扉枠１６が設けられている。そして、シール材１０，１４は、シール材１０の後面に対し、シール材１４の後面が前方となるように配置されており、そのずれの度合は、後述する軸支部６２，６３の偏心（前後方向）の度合と同等であって、ここでは４〜６ミリメートル（ｍｍ）程度であるが、このずれの度合は半減することもできる。なお、このシール材１０，１４のずれは、左右両端部の防水扉を当初起立防水扉２または第１隣接防水扉３にそろえることによって無くすことができる。
【００２２】
更に、各当初起立防水扉２の倒伏状態における（倒伏時）下面（起立時では後面）の中央部と、収納体５の下面後部とにおいて、起立状態保持機構２０が連結されている。起立状態保持機構２０は、当初起立防水扉２の前記中央部に取り付けられた接続部２１と、上端縁に接続部２１との軸支部を有する支持アーム２２と、上端縁に支持アーム２２下端縁との軸支部を有し、支持アーム２２の左右外側に配置される支持アーム２４と、支持アーム２４下端縁との軸支部を有し、収納体５に固定された接続部２５を備えている。
【００２３】
同様に、各第１隣接防水扉３には、接続部３１、支持アーム３２、支持アーム３４、接続部３５を有する起立状態保持機構３０が取り付けられている。そして、接続部３５は、接続部２５に対して、後述するヒンジ機構５２，５３の軸支部６２，６３の偏心（前後方向）と同等に前方へずらされており、ここでは２〜３ｍｍ程度ずらされている。なお、接続部３５の位置をずらさないで、支持アーム３２や支持アーム３４の長さを長くしても良い。
【００２４】
また、各当初起立防水扉２の辺縁（右の当初起立防水扉２の右端縁を除く）には、その全体にわたって、側面の倒伏時上部（起立時前部）が側面の倒伏時下部（起立時後部）に対し突出して形成される段部２６が設けられており、第１隣接防水扉３における辺縁の倒伏時下側（起立時後側、左の第１隣接防水扉３の左端縁を除く）には、その全体にわたって、シール部材３７が、外側へ突出し、起倒方向に直交する面である前面が露出するように設けられている。第１隣接防水扉３のシール部材３７は、当初起立防水扉２及び第１隣接防水扉３の倒伏時、当初起立防水扉２側端部の段部２６に隣接し、前面が段部２６の後面と平行に対向するが、段部２６に対して圧接しない。即ち、シール部材３７は、段部２６に対して離れており、あるいは弱く接触している。
【００２５】
加えて、当初起立防水扉２の下部の左右と、収納体５の内側下面前部における前記当初起立防水扉２の左右と対応する左右とにおいて、腕部としての一対のヒンジ機構５２が連結されている。また、第１隣接防水扉３において、ヒンジ機構５２と同様のヒンジ機構５３が連結されている。
【００２６】
ヒンジ機構５２は、当初起立防水扉２の下部と一体で、倒伏時の下斜め前方（起立時の後斜め下方）へ延びる一対の支持アーム６０と、上端縁が各支持アーム６０に挟まれ、上端縁に支持アーム６０下端縁との軸支部６２を有し、下端が収納体５の下面前部に固定される接続部６１とを備えている。同様に、ヒンジ機構５３は、支持アーム６５、軸支部６３、及び接続部６６を備えている。
【００２７】
そして、ヒンジ機構５３の軸支部６３は、ヒンジ機構５２の軸支部６２に対して前方及び下方に偏心している。ここでは、偏心の度合は２〜３ｍｍ（例えば２．５ｍｍ前方へ偏心し、２．５ｍｍ下方へ偏心する）である。
【００２８】
このように、ヒンジ機構５２，５３の軸支部６２，６３の回転軸は互いに前後方向でずれているが、各当初起立防水扉２及び各第１隣接防水扉３の倒伏時、前辺は互いにそろっており、扉面（倒伏時上面）は互いに面一である。即ち、軸支部６２に対して軸支部６３が下方へ２．５ｍｍ偏心することで、そのままでは倒伏時に前辺が２．５ｍｍだけ後方へ偏心することになるが、前方へ軸支部６３を２．５ｍｍ偏心させることで、前辺がそろうことになる。また、軸支部６２に対して軸支部６３が下方へ２．５ｍｍ偏心することで、そのままでは倒伏時に防水扉の上面（扉面）が２．５ｍｍ低くなるところ、防水扉３の背面に対する軸支部６３の距離を２．５ｍｍ大きくすることができ、結果、防水扉３の倒伏時上面が防水扉２の倒伏時上面と同じ高さになる。なお、支持アーム６５が支持アーム６０に対して少し長くなっている。
【００２９】
また、次から説明するように、各当初起立防水扉２及び各第１隣接防水扉３は、起立するに従い倒伏時前辺（起立時下辺）が前下方へ移動するので、倒伏時に防水扉２〜４の前辺以前に係る収納体５の上部開口を覆い、更に起立させるため取り外し可能である閉鎖蓋７０が、各当初起立防水扉２及び各第１隣接防水扉３ごとに設けられている。
【００３０】
図４（ａ），（ｂ）は、順に起立状態の当初起立防水扉２、第１隣接防水扉３の側断面図であり、図５は、起立状態の各当初起立防水扉２及び各第１隣接防水扉３の平面図である。当初起立防水扉２は、ヒンジ機構５２によって前方へ回転され、倒伏状態から起立状態まで起倒可能である。各当初起立防水扉２は、起立時、下面前部がシール材８と圧接し、上面が扉枠１２，１６の上端とそろう。また、右端から１枚目の当初起立防水扉２は、前面左辺縁がシール材１０の後面と圧接し、前面と左側面とがシール材１０によりシールされる。そして、起立した各当初起立防水扉２の扉面は、収納体５の最前部から間隔Ａだけ離れた位置となる。人手によって起立された当初起立防水扉２は、起立状態保持機構２０によって起立状態に保持される。
【００３１】
各第１隣接防水扉３は、当初起立防水扉２と同様に起立するが、ヒンジ機構５３の軸支部６３が当初起立防水扉２のヒンジ機構５２の軸支部６２と比べて前方及び下方に偏心し、かつ軸支部６３と防水扉３の背面との距離が大きくなっているため、その分（２〜３ｍｍの２倍）だけ当初起立防水扉２に対し前方へ起立し、起立した第１隣接防水扉３の前面（扉面）は、収納体５の最前部から間隔Ａより小さい間隔Ｂだけ離れた位置となる。起立状態保持機構３０の接続部３５は、起立状態保持機構２０の接続部２５に対して同様に前方へずれており、かつ起立状態保持機構２０と同様の構成であるため、起立状態保持機構３０は、防水扉３が防水扉２より前方へ起立することを妨げることなく起立保持する。なお、軸支部６３と第１隣接防水扉３との距離を、軸支部６２と当初起立防水扉２との距離と同じにしても良く、この場合、起立時の第１隣接防水扉３の前方移動量が小さくなり、また倒伏時に第１隣接防水扉３の上面に僅かな段差を生じる。
【００３２】
また、第１隣接防水扉３は、前記偏心によりその分当初起立防水扉２より前方に起立するため、各第１隣接防水扉３の右側端部も起立状態の各当初起立防水扉２の左側端部に起倒方向においてその分接近し、第１隣接防水扉３の右側端部のシール部材３７が起立状態の当初起立防水扉２における左側端部の段部２６に対してその分近づき、段部２６の起立時後面側端部（対向面）がシール部材３７の前面（露出面）と圧接し、シール部材３７が当初起立防水扉２の左側面と段部２６後面とに回り込んでシールする。更に、シール部材３７の下端部がシール材８の上部に圧接し、第１隣接防水扉３のシール部材３７と収納体４のシール材８とが連続する。
【００３３】
加えて、右端から２枚目の第１隣接防水扉３の左側端部も、起立状態の右端から３枚目の当初起立防水扉２の右側端部に起倒方向においてその分接近し、第１隣接防水扉３の左側端部のシール部材３７が起立状態の当初起立防水扉２における左側端部の段部２６に対してその分近づき、段部２６の起立時後面側端部がシール部材３７の前面と圧接し、シール部材３７が第１隣接防水扉３の左側面と段部２６後面とに回り込んでシールする。
【００３４】
なお、各当初起立防水扉２及び各第１隣接防水扉３において、倒伏時前辺をそろえながら、起立時には高さがそろいつつ前面がずれるようにするため、第１隣接防水扉３のヒンジ機構５３の軸支部６３が当初起立防水扉２のヒンジ機構５２の軸支部６２と比べて下方にも偏心している。また、倒伏時の各当初起立防水扉２、各第１隣接防水扉３の扉面が面一となるように、軸支部６３と各第１隣接防水扉３の背面との距離を、軸支部６２と当初起立防水扉２の背面との距離より大きくして、支持アーム６５の長さを少し長くしてある。
【００３５】
このようにして成る第１形態に係る防水扉装置１では、通常時の全倒伏状態から、次のようにして防水時の全起立状態に移行させることができる。即ち、閉鎖蓋７０を取り外した後、まず右端から１，３枚目の当初起立防水扉２を手動で起立させる。次に、当初起立防水扉２に隣接する各第１隣接防水扉３を手動で起立させる。ここで、各第１隣接防水扉３を起立させると、各当初起立防水扉２に対する前方への偏心分及び軸支部６３と第１隣接防水扉３の距離（起立時前後距離）を大きくした分だけ前方に起立し、各第１隣接防水扉３の辺縁のシール部材３７が各当初起立防水扉２の辺縁に対して自然に圧接し、各当初起立防水扉２及び隣接する第１隣接防水扉３の隙間の防水を自然に図ることができる。
【００３６】
一方、防水扉装置１において、防水状態から通常状態に戻すには、各第１隣接防水扉３、各当初起立防水扉２の順で右から手動で倒伏状態とし、各閉鎖蓋７０を取り付ける。
【００３７】
第１形態に係る防水扉装置１では、それぞれ倒伏状態と起立状態に起倒可能である各当初起立防水扉２及び各第１隣接防水扉３と、各第１隣接防水扉３の側端部において、当該側端部と一体に設けられたシール部材３７とを備え、右端からこれを含めて２枚目ごと（右端から１，３枚目）の当初起立状態となる各当初起立防水扉２の側端部に対し、各当初起立防水扉２に隣接する各第１隣接防水扉３の側端部が起倒方向において接近するよう、各第１隣接防水扉３を起立可能とし、かつ、シール部材３７を、各当初起立防水扉２と各第１隣接防水扉３とが倒伏状態であると、これらの側端部間で圧接せず、起立状態の各当初起立防水扉２に対して、各第１隣接防水扉３が起立すると、これらの側端部間で圧接するようにしたので、各当初起立防水扉２、各第１隣接防水扉３の順で起立させるだけで、各当初起立防水扉２と各第１隣接防水扉３とにおける隙間を迅速に水密に塞ぐことができ、防水扉装置１をシンプルに形成して小型化し、製造コストや設置コストを低減することができる。また、当初起立防水扉２ごとのグループ（右端から１，２枚目のグループ及び右端から３，４枚目のグループ）を形成し、そのグループごとに第１隣接防水扉３の当初起立防水扉２への起立時の接近を確保すれば良く、各当初起立防水扉２や各第１隣接防水扉３の枚数が多くても、起立時の防水扉の前方へのずれについて累積を無くして施工上好ましい僅かな量にすることができ、防水扉装置１をシンプルに形成して小型化し、製造コストや設置コストを低減することができる。更に、通常の倒伏状態においてシール部材３７，４９が圧接しないので、長期間倒伏状態としてもシール部材３７，４９の損傷を防止することができ、シール部材３７，４９の機能を長期間保持することもできる。
【００３８】
また、防水扉装置１にあって、シール部材３７を、起倒方向に交わる面が露出するように配置し、シール部材３７に隣接する当初起立防水扉２の側端部に、当該露出面と対向する面を有する段部２６を設け、シール部材３７を、段部２６の当該対向面に圧接するようにしたので、起立状態においてシール部材３７を隣接する当初起立防水扉２の側端部に強く圧接させることができ、各当初起立防水扉２と各第１隣接防水扉３との隙間をより確実に塞ぐことができる。
【００３９】
更に、防水扉装置１では、各当初起立防水扉２と、各第１隣接防水扉３とが倒伏状態であると、これらの扉面が面一となるようにするとともに、各当初起立防水扉２と、各第１隣接防水扉３とが起立状態であると、これらの扉面が起倒方向へずれるようにしたので、倒伏状態において各当初起立防水扉２及び第１隣接防水扉３の扉面を平坦にすることができ、人や自動車などの通行に配慮することができる。
【００４０】
また更に、防水扉装置１では、各当初起立防水扉２，各第１隣接防水扉３を、軸支部６２，６３を有する腕部の周りで回転して起倒可能とし、各当初起立防水扉２の軸支部６２と、各第１隣接防水扉３の軸支部６３とを互いに偏心させたので、当初起立防水扉２に対する第１隣接防水扉３の接近をシンプルに実現して製造コストを一層低減することができる。
【００４１】
加えて、防水扉装置１では、起立状態における各当初起立防水扉２及び各第１隣接防水扉３の下部に圧接可能なシール材８を設け、シール材８を、起立状態における第１隣接防水扉３のシール部材３７と連続するように配置したので、シール材８とシール部材３７とによって更に確実に止水を行うことができる。
【００４２】
［第２形態］
第２形態に係る防水扉装置は、各当初起立防水扉及び各第１隣接防水扉等の配置以外は、第１形態に係る防水扉装置と同様に成る。図６は当該防水扉装置１０１における通常時の図２に相当する断面図であり、図７は防水扉装置１０１における防水時の平面図である。
【００４３】
防水扉装置１０１において、当初起立防水扉１０２は、所定枚数目としての右端から３枚目（全５枚のうち中央）に１枚だけ配置されており、当初起立防水扉２の両隣に、第１隣接防水扉１０３が配置されており、第１隣接防水扉３の外側に、第２隣接防水扉１０４が配置されている。また、防水扉装置１０１は、第１形態と同様に、右壁Ｗ３，左壁Ｗ４における扉枠１１２，１１６、シール材１１０，１１４，１１８、及び収納体１１５を有する。
【００４４】
更に、第１形態と同様に、当初起立防水扉１０２は、接続部１２１、支持アーム１２２、支持アーム１２４、及び接続部１２５を有する起立状態保持機構１２０、両側縁の段部１２６、並びに支持アーム１６０、軸支部１６２及び接続部１６１を有するヒンジ機構１５２を備え、各第１隣接防水扉１０３は、接続部１３１、支持アーム１３２、支持アーム１３４、及び接続部１３５を有する起立状態保持機構１３０、内側端縁のシール部材１３７、並びに支持アーム１６５、軸支部１６３及び接続部１６６を有するヒンジ機構１５３を備える。加えて、各第１隣接防水扉１０３の外側端縁には、段部１２６と同様の段部１３８が設けられる。また、第２隣接防水扉１０４は、同様に、接続部１４１、支持アーム１４２、支持アーム１４４、及び接続部１４５を有する起立状態保持機構１４０、内側端縁のシール部材１４９、並びに支持アーム１６７、軸支部１６４及び接続部１６８を有するヒンジ機構１５４を備える。
【００４５】
防水扉装置１０１では、倒伏時、第１隣接防水扉１０３が当初起立防水扉１０２に対して下方にあり、そのずれの度合はここでは２〜３ｍｍである。また、当初起立防水扉１０２の段部１２６の後面と、第１隣接防水扉１０３のシール部材１３７の前面は、隣接状態にあり、シール部材１３７は段部１２６に圧接していない。同様に、倒伏時、第２隣接防水扉１０４が第１隣接防水扉１０３に対して下方にあり、第１隣接防水扉１０３の段部１３８の後面と、第２隣接防水扉１０４のシール部材１４９の前面は、隣接状態にあって、シール部材１４９は段部１３８に圧接していない。
【００４６】
そして、第１隣接防水扉１０３に係るヒンジ機構１５３の軸支部１６３は、第１形態と同様、当初起立防水扉１０２に係るヒンジ機構１５２の軸支部１６２に対して前方及び下方へ偏心しており、その偏心は倒伏時の当初起立防水扉１０２と第１隣接防水扉１０３との高低差と同等である。よって、倒伏時の高低差は、当初起立防水扉１０２の起立後、第１隣接防水扉１０３が相対的に前方へ起立することで解消され、当初起立防水扉１０２及び第１隣接防水扉１０３の起立時に扉面が面一にそろい、第１隣接防水扉１０３の内側端部が当初起立防水扉１０２の各側端部に対し起倒方向で近づき、当初起立防水扉１０２の各段部１２６に対して各第１隣接防水扉１０３のシール部材１４９が圧接する。
【００４７】
同様に、第２隣接防水扉１０４のヒンジ機構１５４の軸支部１６４は、第１隣接防水扉１０３のヒンジ機構１５３の軸支部１６３に対して前方及び下方へ偏心しており、その偏心は倒伏時の第１隣接防水扉１０３と第２隣接防水扉１０４の高低差と同等であって、倒伏時の高低差は、第１隣接防水扉１０３の起立後、第２隣接防水扉１０４が相対的に前方へ起立することで解消され、第２隣接防水扉１０４の内側端部も第１隣接防水扉１０３の外側端部に対して起倒方向で相対的に接近し、第１隣接防水扉１０３及び第２隣接防水扉１０４の起立時に扉面が面一にそろい、各第１隣接防水扉１０３の段部１３８に対して各第２隣接防水扉１０４のシール部材１４９が圧接する。
【００４８】
第２形態の防水扉装置１０１では、それぞれ倒伏状態と起立状態に起倒可能である当初起立防水扉２、各第１隣接防水扉３、各第２隣接防水扉４と、当初起立防水扉２、各第１隣接防水扉３、各第２隣接防水扉４の隣接する側端部の一方において、当該側端部と一体に設けられたシール部材１３７，１４９とを備え、右端から３枚目の当初起立状態となる当初起立防水扉２の側端部に対し、当初起立防水扉２に隣接する第１隣接防水扉３の側端部が起倒方向において接近するよう、第１隣接防水扉３を起立可能とし、更に、第１隣接防水扉３の側端部に対し、第１隣接防水扉３に隣接する第２隣接防水扉４の側端部が起倒方向において接近するよう、第２隣接防水扉４を起立可能とし（即ちｎ＝１）、かつ、シール部材１３７，１４９を、当初起立防水扉２と第１隣接防水扉３、あるいは第１隣接防水扉３と第２隣接防水扉４とが倒伏状態であると、これらの側端部間で圧接せず、起立状態の当初起立防水扉２，第１隣接防水扉３に対して、第１隣接防水扉３，第２隣接防水扉４が起立すると、これらの側端部間で圧接するようにしたので、当初起立防水扉２、第１隣接防水扉１０３、第２隣接防水扉１０４を順次起立状態にすることで、当初起立防水扉１０２と第１隣接防水扉１０３との隙間、及び第１隣接防水扉１０３と第２隣接防水扉１０４との隙間をシール部材１３７，１４９によって水密に塞ぐことができ、当該隙間を迅速に塞ぐことができるとともに、装置の構成をシンプルにして小型化することができ、製造コストや設置コストを大幅に低減することができる。しかも、通常の倒伏状態においてシール部材１３７，１４９が圧接しないので、長期間倒伏状態としてもシール部材１３７，１４９の損傷を防止することができ、シール部材１３７，１４９の機能を長期間保持することもできる。更に、端から３枚目（中央）の防水扉を当初起立防水扉２としているので、多数の防水扉を配置した場合にあっても、第１隣接防水扉３及び第２隣接防水扉４等における側端縁の近接のための機構を種類の少ないものとしてシンプルに構成することができる。また、防水扉装置１０１における両端の防水扉（各第２隣接防水扉１０４）を同一種類にできるので、シール材１１０，１１４の前後方向位置を互いに同一にすることができ、前後のずれを無くすことができる。
【００４９】
また、防水扉装置１０１にあって、シール部材１３７，１４９を、起倒方向に交わる面が露出するように配置し、シール部材１３７，１４９に隣接する当初起立防水扉１０２，第１隣接防水扉１０３の側端部に、当該露出面と対向する面を有する段部１２６，１３８を設け、シール部材１３７，１４９を、段部１２６，１３８の当該対向面に圧接するようにしたので、起立状態においてシール部材１３７，１４９を段部１２６，１３８に対し強く圧接させることができ、防水扉の隙間をより確実に塞ぐことができる。
【００５０】
そして、防水扉装置１０１では、当初起立防水扉２，第１隣接防水扉３と、第１隣接防水扉３，第２隣接防水扉４とが倒伏状態であると、これらの扉面が起倒方向へずれるようにするとともに、当初起立防水扉２，第１隣接防水扉３と、第１隣接防水扉３，第２隣接防水扉４とが起立状態であると、これらの扉面が面一となるようにしたので、圧接のためには十分である僅かなずれが倒伏状態で許容される環境において設置すれば、起立状態において扉面を面一にそろえることができる。
【００５１】
なお、第２形態の防水扉装置１０１では、倒伏時、当初起立防水扉１０２、第１隣接防水扉１０３及び第２隣接防水扉１０４の扉面高さにずれを生じ、起立時にこれらの扉面が前後方向でそろい面一となるようにしているが、これとは逆に（第１形態と同様に）、倒伏時に扉面が面一になり、起立時にずれを生じるようにしても良い。
【００５２】
［第３形態］
第３形態に係る防水扉装置は、段部ないしシール部材の構成以外は、第２形態に係る防水扉装置とほぼ同様に成る。図８は第３形態に係る防水扉装置における通常時の図２の一部に相当する断面図であって、各第１隣接防水扉２０３の右側面後部に、側方へ突出して起立時に前面を形成する突出片２３６，２３８がそれぞれ設けられる一方、当該前面と対向する起立時後面を持つように、当初起立防水扉２０２における両側辺の起立時後部（倒伏時下部）にシール部材２２７，２２９がそれぞれ設けられる。
【００５３】
このような防水扉装置では、起立時に突出片２３６，２３８の前面がシール部材２２７，２２９の後面に対して圧接することで、これらの面においてシールされる。一方、通常時、シール部材２２７，２２９が当初起立防水扉２０２の両辺縁の下部にあり、当該辺縁の上部によって上側全体を覆われる。よって、倒伏状態においてシール部材２２７，２２９の全体が保護され、シール部材２２７，２２９の耐久性を更に高めることができる。
【００５４】
［第４形態］
第４形態に係る防水扉装置は、段部ないしシール部材の構成以外は、第２形態に係る防水扉装置とほぼ同様に成る。図９は第４形態に係る防水扉装置における通常時の図２の一部に相当する断面図であって、当初起立防水扉３０２の左右側部に、シール部材３２７，３２９が、側方へ突出するように設けられている。シール部材３２７，３２９の各外側面は、起立時鉛直であり、更に前方から後方にかけて内側へ近づくテーパ面となっている。
【００５５】
また、左の第１隣接防水扉３０３の右側面は、起立時にシール部材３２７の圧接する止水部３３６とされており、起立時にシール部材３２７のテーパ面に連続するようなテーパ面とされている。同様に、右の第１隣接防水扉３０３の左側面は、起立時にシール部材３２９の圧接する止水部３３８とされており、起立時にシール部材３２９のテーパ面に連続するようなテーパ面とされている。
【００５６】
このような第４形態に係るシール部材３２７，３２９の設置でも、防水扉の隙間を確実に塞ぐことができる。
【００５７】
［変更例］
なお、主に上記実施の形態を変更してなる、本発明の他の形態を例示する。防水扉の起倒を行う駆動機構を備え、自動的に起立倒伏するものとする。また、防水扉の起立状態保持機構やヒンジ機構について、図１０〜１２や、本出願人による先の出願に係る特開２００６−０７７３８９に示すように、起倒機構４０１の軸支部４０２を長孔４０４内で移動可能とする等、起倒機構やヒンジ機構の各種軸支部を適宜長孔内でスライド移動可能としたり、ヒンジ機構４１０のヒンジ部材４１２，４１３，４１４を３つ設けないしは軸支部４１５，４１６，４１７，４１８，４１９を５つ設ける等、ヒンジ機構のヒンジ部材の数ないし起倒機構やヒンジ機構の軸支部を増やしたりして形成したリンク機構４００（先の出願では起倒装置）とし、リンク機構４００を、各防水扉に対して、起立時の前方移動量が順次ずれるように設置することで、倒伏時に収納体４２５の上部開口全体を覆いながら、起立時に側端部が隣接する防水扉の側端部に対して接近し、かつ扉面下部がシール材４２８に当接するようにして、閉鎖蓋を不要とする。
【００５８】
防水扉の起立時の相対的な前方移動を、ヒンジ機構の回転軸の偏心ではなく、ヒンジ機構の各種アームの長短差により実行する。あるいは、回転軸の偏心とアームの長短差を合わせて相対的前方移動を実行する。ヒンジ機構の回転軸の偏心を、前後方向のみとし、あるいは上下方向のみとする。各種偏心やずれの度合を適宜変更する。
【００５９】
当初起立防水扉の配置を適宜変更する。例えば、第１形態において、当初起立防水扉を右から２，４枚目の防水扉とし、第１隣接防水扉を右から１，３枚目の防水扉とする。あるいは、全７枚の防水扉を配置し、当初起立防水扉を１，３，５，７枚目のものとしたり、１，４，７枚目のものとしたりする。後者の場合、２，６枚目のものが第１隣接防水扉となり、３，５枚目のものが第２隣接防水扉となる。また、第３隣接防水扉以降を設置することも可能であり、概念的には際限なく設置していくことができるが、通常は第３隣接防水扉ないし第５隣接防水扉以内で事足りる。一方、第２形態においても当初起立防水扉の位置を変更することができ、右から２枚目のものとした場合には、１，３枚目のものが第１隣接防水扉となり、４枚目のものが第２隣接防水扉となり、５枚目のものが第３隣接防水扉となる。
【００６０】
また、第１形態や第２形態等に係る各種防水扉の配列を、複数回繰り返す。この場合、防水扉の全枚数を多くすることができて極めて大きい止水幅に対応可能となり、しかもシール部材による自然な隙間の閉鎖を実現しながら前後方向のずれの総和を少なく抑えることができ、施工性に配慮することができる。
【図面の簡単な説明】
【００６１】
【図１】本発明の第１形態に係る防水扉装置の、倒伏状態での平面図である。
【図２】図１のＫ−Ｋ線断面図である。
【図３】図１のＬ−Ｌ線断面図である。
【図４】（ａ），（ｂ）は、起立状態における当初起立防水扉，第１隣接防水扉の側断面図である。
【図５】起立状態の各防水扉の平面図である。
【図６】本発明の第２形態に係る防水扉装置の、図２相当図である。
【図７】起立状態の各防水扉の平面図である。
【図８】本発明の第３形態に係る防水扉装置の、図２一部相当図である。
【図９】本発明の第４形態に係る防水扉装置の、図２一部相当図である。
【図１０】本発明の変更例に係る防水扉装置の、倒伏状態におけるリンク機構の側断面図である。
【図１１】リンク機構の起倒中の側断面図である。
【図１２】起立状態におけるリンク機構の側断面図である。
【符号の説明】
【００６２】
１，１０１    防水扉装置
２，１０２，２０２，３０２    当初起立防水扉（防水扉）
３，１０３，２０３，３０３    第１隣接防水扉（防水扉）
１０４    第２隣接防水扉（防水扉）
８，１１８    シール材（止水部材）
２６，１２６，１３８    段部
３７，１３７，１４９    シール部材
５２，５３，１５２〜１５４    ヒンジ機構（腕部）
６２，６３，１６２〜１６４    軸支部
【図１】
2008163639.tif 000003
【図２】
2008163639.tif 000004
【図３】
2008163639.tif 000005
【図４】
2008163639.tif 000006
【図５】
2008163639.tif 000007
【図６】
2008163639.tif 000008
【図７】
2008163639.tif 000009
【図８】
2008163639.tif 000010
【図９】
2008163639.tif 000011
【図１０】
2008163639.tif 000012
【図１１】
2008163639.tif 000013
【図１２】
2008163639.tif 000014